(57)【要約】【課題】簡単に取り付け、取り外しを可能とする簡単な構造の椅子の足掛け台、足掛け台を備えた椅子、およびその取り付け方法を提供すること。【解決手段】椅子の支柱に取り付けられる椅子の足掛け台であって、前記足掛け台の中央に形成された前記支柱に嵌合する孔と、前記足掛け台の外側から前記孔に達する切り欠きとが形成された足掛け台本体と、前記切り欠きに嵌め込んで足掛け台の全体形を完成する着脱自在の嵌め込み部材とを有する椅子の足掛け台による。【選択図】  図２
2004159920.tif 000002
【特許請求の範囲】
【請求項１】
椅子の支柱に取り付けられる椅子の足掛け台であって、
前記足掛け台の中央に形成された前記支柱に嵌合する孔と、前記足掛け台の外側から前記孔に達する切り欠きとが形成された足掛け台本体と、
前記切り欠きに嵌め込んで足掛け台の全体形を完成する着脱自在の嵌め込み部材とを有する椅子の足掛け台。
【請求項２】
前記嵌め込み部材を支持するように、前記切り欠きに張り出し部が形成されていることを特徴とする請求項１に記載の椅子の足掛け台。
【請求項３】
前記嵌め込み部材を支持するように、前記切り欠きの断面はテーパ状に形成されていることを特徴とする請求項１に記載の椅子の足掛け台。
【請求項４】
前記足掛け台本体は、一体成形されていることを特徴とする請求項１乃至３のいずれか一に記載の椅子の足掛け台。
【請求項５】
前記孔を中央にして、前記足掛け台本体には少なくとも３つの空洞部が形成されていることを特徴とする請求項１乃至４のいずれかに記載の椅子の足掛け台。
【請求項６】
ネジによって前記孔の中心方向に対して前後に移動して前記支柱と足掛け台との密着性を調節するパッドを有することを特徴とする請求項１乃至５のいずれか一に記載の椅子の足掛け台。
【請求項７】
請求項１乃至６のいずれか一に記載の足掛け台を具備したことを特徴とする椅子。
【請求項８】
請求項７に記載された足掛け台の取り付け方法であって、
前記足掛け台を椅子に取り付けるとき、足掛け台本体の切り欠きを介して足掛け台本体の孔を椅子の支柱に挿入した後、該切り欠きに嵌め込み部材を嵌合させ、
前記足掛け台を椅子から取り外すときには、嵌め込み部材を切り欠きから抜き取った後に、足掛け台本体を切り欠きを介して椅子の支柱から取り外すことを特徴とする足掛け台の取り付け方法。
【発明の詳細な説明】
【０００１】
【発明の属する技術分野】
本発明は、椅子の足掛け台に関する。
【０００２】
【従来の技術】
従来より、椅子の足掛け台としては種種のものが提案されている。
例えば、下記の各特許文献には、足掛け台が椅子の支柱に取り付けられる構造が記載されている。
【０００３】
【特許文献１】
実開平１−１１４８５７号公報（第１図）
【特許文献２】
実公平６−２５１６２号公報（第１図）
【特許文献３】
特開２００２−３２０５３１号公報（図１）
しかしながら、従来の構造の足掛け台は、足掛け台の中央に形成された係合孔を支柱の下端または上端から挿入する構造になっている。このため、足掛け台を取り付けるときには、椅子をいったん分解しなければならず、また再組み立ての作業を必要とする。椅子から足掛け台を取り外そうとしたときも、椅子の分解と再組み立てをしなければならず、非常に手間が掛かっていた。
【０００４】
特に、子供が大きくなって足掛け台が不要になったので取外そうとしたとき、年月も経っているので、椅子の分解方法や複雑な再組立ての仕方を失念してしまったりすることもある。
【０００５】
本発明はかかる点に鑑みて創作されたものであり、簡単に取り付け、取り外しを可能とする簡単な構造の椅子の足掛け台、足掛け台を備えた椅子、およびその取り付け方法を提供することを目的とする。
【０００６】
【課題を解決するための手段】
上記の課題を解決するために、本願発明の足掛け台は、中央に形成された支柱嵌合孔と、外側から孔に達する切り欠きとが形成された足掛け台本体と、切り欠きに嵌め込んで足掛け台の全体形を完成する着脱自在の嵌め込み部材とを有する。
【０００７】
切り欠きに張り出し部を形成すると、嵌め込み部材を切り欠きに嵌め込んだとき、下から支持され落下が防止される。なお、切り欠きの断面をテーパ状に形成してもよい。
【０００８】
足掛け台本体を、樹脂により一体成形すると、より簡単に軽量化が図れ、また製造原価を安くすることができる。
【０００９】
さらに、足掛け台本体には少なくとも３つの空洞部が形成すると、これにより軽量化が図れるとともに、より強固にすることができる。
【００１０】
また、ネジによって孔の中心方向に対して前後に移動して支柱と足掛け台との密着性を調節するパッド部を有するようにすれば、足掛け台を支柱に取り付けたときのガタ付きを防止することができる。
【００１１】
【発明の実施の形態】
以下に、本発明の実施の形態について、添付図面を参照しながら詳細に説明する。
【００１２】
（１）本発明の実施形態に係る足掛け台および椅子についての説明
図１は本発明の実施形態に係る椅子の構成を示す図であり、椅子１の支柱２に足掛け台６を取り付けた状態を示している。
【００１３】
椅子１は一般に使用されているものであり、椅子の背もたれ３、シート部４、キャスタ付き支持部５を基本構成としている。
【００１４】
まだ足が床に届かない幼児などは、この足掛け台６に足を置くことにより、バランスよく椅子に座ることができる。
【００１５】
次に、本発明の実施形態に係る足掛け台の構成について説明する。図２は嵌め込み部材１２が足掛け台本体７の切り欠き８に嵌め込まれる前の状態を示す斜視図、図３は嵌め込み部材１２が嵌め込まれた後の状態を示す斜視図である。
【００１６】
足掛け台本体７には中央に向かって切り欠き８が形成され、そのまま中央の孔９に繋がっている。切り欠き８には少し突出した張り出し１０が形成されている。嵌め込み部材１２はこの張り出し１０によって下から支えられることにより、落下が防止される。なお、張り出し１０の代わりに、切り欠き８の断面をテーパ状に形成してもよく、同様な効果を得ることができる。
【００１７】
また、一つの空洞１１を利用してねじ１４が足掛け台本体７に取り付けられており、そのねじ１４をまわすことによってねじの先端が前後することによりパッド１３も孔９の中を前後する。これにより、図４の断面図に示すように、孔９の径の大きさを調節することができる。
【００１８】
なお、図４は本発明の実施形態に係る足掛け台の上面図であり、図５は本発明の実施形態に係る足掛け台の底面図である。
【００１９】
（２）本発明の実施形態に係る足掛け台の取り付け方法の説明
本発明の実施形態に係る足掛け台によれば、椅子に支柱があれば、以下説明するように、どんな椅子にも簡単に取り付けることができる。
【００２０】
まず、足掛け台本体７から嵌め込み部材１２を取外す。次に、足掛け台本体７の切り欠き８を利用して足掛け台本体７の孔９に支柱２を嵌める。その後に、嵌め込み部材１２を足掛け台本体７の切り欠き８に嵌め戻す。これにより、足掛け台本体７の孔９に椅子の支柱２を挿入させたと同じ状態となる。次いで、ねじ１４を回してパッド１３を移動させることにより、孔９の径を調節する。これにより、足掛け台６を椅子の支柱２に、ガタつかないよう固定する。
【００２１】
また、本発明の実施形態に係る足掛け台によれば、以下説明するように、椅子から簡単に取外すことができる。
【００２２】
まず、ねじ１４を回してパッド１３を移動させ、足掛け台の固定状態を少し緩める。次に、足掛け台から嵌め込み部材１２を抜き取る。これにより、切り欠き８が現れるので、切り欠き８を利用して足掛け台本体７を支柱２から取外す。
【００２３】
このように、本願発明の実施形態に掛かる足掛け台によれば、容易に椅子に着脱することが可能であり、従来のような煩雑な手間を要すこともなくなる。
【００２４】
【発明の効果】以上のように、本願発明によれば、外から中央の孔に達する切り欠きが形成された足掛け台本体と、切り欠きに嵌め込んで足掛け台の全体形を完成する着脱自在の嵌め込み部材とを有するので、椅子の支柱への取り付けおよび取外しが極めて簡単になる。
【図面の簡単な説明】
【図１】図１は本発明の実施形態に係る椅子の斜視図図である。
【図２】図２は嵌め込み部材が足掛け台本体に嵌め込まれる前の状態を示す斜視図である。
【図３】図３は嵌め込み部材が足掛け台本体に嵌め込まれた後の状態を示す斜視図である。
【図４】図４は本発明の実施形態に係る足掛け台の断面図である。
【図５】図５は本発明の実施形態に係る足掛け台の上面図である。
【図６】図６は本発明の実施形態に係る足掛け台の底面図である。
【符号の説明】
１・・・椅子、
２・・・椅子の支柱、
３・・・椅子の背もたれ、
４・・・椅子のシート部、
５・・・キャスタ付き支持部、
６・・・足掛け台、
７・・・足掛け台本体、
８・・・切り欠き、
９・・・孔、
１０・・・張り出し部、
１１・・・空洞、
１２・・・嵌め込み部材、
１３・・・パッド、
１４・・・ネジ。
【図１】
2004159920.tif 000003
【図２】
2004159920.tif 000004
【図３】
2004159920.tif 000005
【図４】
2004159920.tif 000006
【図５】
2004159920.tif 000007
【図６】
2004159920.tif 000008